(57)【要約】      （修正有）【課題】蛇口に取り付けたアダプタを容易に蛇口から外すことができる蛇口用管継手を提供する。【解決手段】アダプタ２０の流路開口を塞いだ状態で蛇口１１から給水すると、その水圧で押圧部材２４、２６を上方へ移動させてロック爪２５を揺動させ、蛇口１１を挟んで固定する。また、押圧部材２４、２６をロック爪２５から離反させるロック解除部材３０を設けたので、ロック爪２５を上方へ揺動させて蛇口１１をロックしている押圧部材２４、２６をロック爪２５から離反させることができる。これにより、ロック爪２５が下方へ揺動可能となるので、容易にロックを解除することができ、蛇口用管継手１０を蛇口１１から容易に外すことができる。【選択図】図１
0003209887.tif 000002
【実用新案登録請求の範囲】
【請求項１】
蛇口に取り付けられるアダプタと、ホースの先端に取り付けられて前記アダプタに切り離し可能に接続されるコネクタとを有し、
前記アダプタの内部に、前記蛇口の先端を挿入する前記アダプタの取付孔の周囲に揺動可能に設けられた複数のロック爪と、前記ロック爪をロック側に押圧する押圧部材とを有し、
前記蛇口を前記取付孔に挿入して、前記アダプタの排水側又は前記コネクタを介して前記アダプタに接続されたホースを塞いだ状態で前記蛇口から給水することにより、その水圧で前記押圧部材を移動させて前記ロック爪を揺動させ前記蛇口を挟んで固定する蛇口用管継手であって、
前記アダプタに、前記押圧部材を前記ロック爪から離反させるロック解除部材を設けた蛇口用管継手。
【請求項２】
請求項１に記載の蛇口用管継手において、
前記ロック解除部材は、前記押圧部材に当接する解除部材本体と、前記解除部材本体から前記ロック爪側に延びる複数個の脚部とを有し、
前記脚部の先端部は、ロック状態においては前記アダプタから押し出されて突出しており、
前記アダプタから突出した前記先端部を押し込むことにより前記押圧部材を前記ロック爪から離反させる蛇口用管継手。
【考案の詳細な説明】
【技術分野】
【０００１】
本考案は、ホースを蛇口に取外し可能に接続するための蛇口用管継手に関する。
【背景技術】
【０００２】
従来、ホースを蛇口に取外し可能に取り付けるために、蛇口用管継手が用いられている（例えば、特許文献１参照）。
特許文献１に記載の蛇口用管継手は、蛇口側に取り付けられるアダプタと、ホースの先端に取り付けられたコネクタとを有しており、コネクタをアダプタに取外し可能に接続することにより、ホースを蛇口に切り離し可能に接続する。
【０００３】
この蛇口用管継手は、アダプタを蛇口に取り付けるのに、水圧を用いている。すなわち、アダプタの内部に複数個の係止爪を揺動可能に設けるとともに、水圧を受けて係止爪を揺動させる押圧部材を有する。そして、蛇口の先端をアダプタに挿入してアダプタの先端を塞いだ状態で蛇口を開けると、その水圧で押圧部材が係止爪を揺動させて蛇口を挟むことにより、アダプタを蛇口に固定するようになっている。これにより、大きな力を必要とせず、アダプタを容易に蛇口に取り付けることができる。
【先行技術文献】
【特許文献】
【０００４】
【特許文献１】ＴＷＩ３４０２１６号公報
【考案の概要】
【考案が解決しようとする課題】
【０００５】
しかしながら、前述した特許文献１に記載の蛇口用管継手では、使用中にアダプタが蛇口から外れないように、水圧により強力に固定されているため、アダプタを蛇口から容易に外すことができないという問題があった。
【０００６】
本考案は、従来の問題を解決するためになされたもので、蛇口に取り付けたアダプタを容易に蛇口から外すことができる蛇口用管継手を提供することを目的とする。
【課題を解決するための手段】
【０００７】
（１）本願考案に係る１つの態様は、
蛇口に取り付けられるアダプタと、ホースの先端に取り付けられて前記アダプタに切り離し可能に接続されるコネクタとを有し、
前記アダプタの内部に、前記蛇口の先端を挿入する前記アダプタの取付孔の周囲に揺動可能に設けられた複数のロック爪と、前記ロック爪をロック側に押圧する押圧部材とを有し、
前記蛇口を前記取付孔に挿入して、前記アダプタの排水側又は前記コネクタを介して前記アダプタに接続されたホースを塞いだ状態で前記蛇口から給水することにより、その水圧で前記押圧部材を移動させて前記ロック爪を揺動させ前記蛇口を挟んで固定する蛇口用管継手であって、
前記アダプタに、前記押圧部材を前記ロック爪から離反させるロック解除部材を設けたことを特徴とする蛇口用管継手を提供する。
【０００８】
（２）上記（１）に記載の蛇口用管継手において、
前記ロック解除部材は、前記押圧部材に当接する解除部材本体と、前記解除部材本体から前記ロック爪側に延びる複数個の脚部とを有し、
前記脚部の先端部は、ロック状態においては前記アダプタから押し出されて突出しており、
前記アダプタから突出した前記先端部を押し込むことにより前記押圧部材を前記ロック爪から離反させるものであってもよい。
【考案の効果】
【０００９】
本考案は、蛇口に取り付けたアダプタを容易に蛇口から外すことができる蛇口用管継手を提供できる。
【図面の簡単な説明】
【００１０】
【図１】本考案に係る実施形態の蛇口用管継手の分解斜視図である。
【図２】（Ａ）はロック解除部材を押し下げた状態のアダプタの平面図であり、（Ｂ）はアダプタの正面図である。
【図３】（Ａ）は図２（Ｂ）中ＩＩＩ−ＩＩＩ位置の断面図であり、（Ｂ）はロック爪の拡大図である。
【図４】ロック解除部材の全体を示す斜視図である。
【考案を実施するための形態】
【００１１】
以下、本考案に係る実施形態の蛇口用管継手について、図面を用いて説明する。
図１には、本考案に係る実施形態の蛇口用管継手１０の分解斜視図が示されている。なお、以下の説明においては、図１に示すように、蛇口用管継手１０の使用時における上方を「上」とし、下方を「下」として説明する。
【００１２】
図１に示すように、蛇口用管継手１０は、蛇口１１に取り付けられるアダプタ２０と、ホース１２の先端に取り付けられてアダプタ２０に切り離し可能に接続されるコネクタ４０とを有する。したがって、蛇口用管継手１０を蛇口１１に取り付けた状態で、コネクタ４０をアダプタ２０から切り離すことにより、ホース１２を蛇口１１から外すことができる。
【００１３】
図２（Ａ）、（Ｂ）及び図３（Ａ）にも示すように、アダプタ２０は、上側に上蓋部材２１を有し、下側に接続部２２を有する。
上蓋部材２１は全体扁平な円柱形状を呈しており、中央には、蛇口１１の先端１１１（図１参照）が挿入される取付孔２１１が上下方向に貫通して形成されている。上蓋部材２１の上面には、蛇口１１に取り付けた際に、蛇口１１の水平部１１２が嵌る凹部２１２が設けられており、アダプタ２０が蛇口１１に対して所定の取付位置からずれにくいようになっている。
【００１４】
さらに、上蓋部材２１の上面には、部分円弧上の開口部２１３が２か所設けられている。一対の開口部２１３は、凹部２１２の中心線ＣＬに対して対称位置に設けるのが望ましい。なお、開口部２１３は、３か所以上設けることも可能である。
また、上蓋部材２１の下部は、外周面にねじが切られた雄ねじ部２１４が形成されている（図１参照）。
【００１５】
上蓋部材２１の内部には、蛇口１１を把持するためのロック爪２５が複数個（ここでは、３個）設けられている。３個のロック爪２５は、平面視で等間隔になるように、中心角１２０度で配置されている（図２（Ａ）参照）。ロック爪２５は、外側端部に設けられている揺動中心２５１を中心として、上蓋部材２１に揺動可能に支持されている。
【００１６】
図３（Ｂ）に示すように、ロック爪２５の内側端面２５２は、下方に向かって内側（上蓋部材２１の中心側）に傾斜しており、揺動中心２５１から内側端面２５２の上端部２５３までの半径Ｒ１は、揺動中心２５１から内側端面２５２の下端部２５４までの半径Ｒ２よりも小さい。そして、内側端面２５２の上端部２５３は、アダプタ２０を蛇口１１に取り付ける際に、蛇口１１に届かない位置に設け、内側端面２５２の下端部２５４は、蛇口１１に届く位置に設ける。このため、アダプタ２０を蛇口１１に取り付ける際には、蛇口１１の先端１１１が、内側端面２５２の途中位置に当接して、ロック爪２５を下方へ揺動させる。また、ロック爪２５の内側端面２５２は、水平方向に延びる山部及び谷部が上下方向に交互に形成されてギザギザ面となっている。
【００１７】
このため、ロック爪２５が揺動中心２５１回りに下方から上方向へ揺動すると（図３（Ａ）中矢印Ａ参照）、内側端面２５２の上端部２５３は蛇口１１に当接しないが、下端部２５４は当接するので、内側端面２５２の途中位置で蛇口１１に当接することになる。このとき、内側端面２５２に設けられているギザギザの山が蛇口１１に押し付けられるので、蛇口１１をしっかりと把持することができる。
【００１８】
図２（Ｂ）及び図３（Ａ）に示すように、接続部２２は、接続部上部２２１と接続部下部２２２を有しており、全体Ｔ字形状に形成されている。
接続部上部２２１は円柱形状を呈しており、上端部には上蓋部材２１の雄ねじ部２１４が嵌合する取付凹部２２６が形成されている。取付凹部２２６の外周面には、上蓋部材２１の雄ねじ部２１４が螺合する雌ねじ部２２３が形成されている。また、接続部上部２２１の内部下端部には、接続部上部２２１の内面から一定距離で、低い係止壁２２４が全周にわたって設けられている。
【００１９】
図３（Ａ）に示すように、上蓋部材２１の雄ねじ部２１４を接続部２２の雌ねじ部２２３に螺合させて上蓋部材２１を接続部２２に取り付けると、アダプタ２０の内部に空間（内部空間２３）が形成される。
【００２０】
この内部空間２３には、最も下側に第１押圧部材２４が設けられている。第１押圧部材２４は、中央に円形の押圧部材開口部２４４（図１参照）が形成されたリング状を呈しており、外周部は下方に延びる外周壁２４１を有する。外周壁２４１は、接続部上部２２１の内面と係止壁２２４との間に、上下移動可能に挿嵌されている。また、第１押圧部材２４の内側端部２４５は下方に曲げられて、下方のみが開口した第１水圧凹部２４２が形成されている。この第１押圧部材２４の内側端部２４５の内面２４３は、弾性変形によってアダプタ２０に挿入された蛇口１１の先端１１１の外周面に密着する。第１押圧部材２４は、ゴムや樹脂等の弾力性のある材料で形成することができる。
【００２１】
また、第１押圧部材２４の上側には、第２押圧部材２６が上下移動可能に設けられている。第２押圧部材２６は、中央に円形のパッキン開口部２６４（図１参照）が形成された全体リング状を呈しており、内側端部２６１は下方に曲げられて、下方のみが開口した第２水圧凹部２６２が形成されている。この第２押圧部材２６の内側端部２６１の内面２６３は、弾性変形によってアダプタ２０に挿入された蛇口１１の先端１１１の外周面に密着する。第２押圧部材２６は、ゴムや樹脂等の弾力性のある材料で形成することができる。
【００２２】
さらに、第２押圧部材２６の上側でロック爪２５との間には、ロック解除部材３０が、上下移動可能に設けられている。ロック解除部材３０は、ロック爪２５を押し上げて蛇口１１を把持するように揺動させている第２押圧部材２６及び第１押圧部材２４を押し下げて、ロック爪２５を下方（蛇口１１を開放する方向）へ揺動可能にするための部材である。ロック解除部材３０は、剛性の高い樹脂等で形成することができる。
【００２３】
図４に示すように、ロック解除部材３０は、円形の解除部材開口部３３を有するリング形状の解除部材本体３１と、解除部材本体３１から上方に延びる複数個（ここでは、２個）の脚部３２を有する。解除部材開口部３３の内径は、パッキン開口部２６４の内径と等しいか若干小さめとなっている。また、脚部３２の高さは、ロック爪２５が蛇口１１を把持している状態では、上蓋部材２１の開口部２１３から先端部３２１が突出するようにする（図２（Ｂ）中二点鎖線で表示）。さらに、脚部３２の高さは、脚部３２の先端部３２１が上蓋部材２１の上面から埋没したときには、ロック爪２５が上下に揺動可能、すなわちロック解除となるように設定する。
【００２４】
図２（Ｂ）及び図３（Ａ）に示すように、接続部下部２２２は、接続部上部２２１の下側に設けられている小径部分であり、複数の凹凸が上下方向に交互に形成されている。凹部には、ゴム製のパッキンが取り付けられる。接続部下部２２２の先端には、供給された水を流す流路開口２２５が形成されている。
なお、コネクタ４０については既によく知られているので詳述しないが、外ケース４１（図１参照）を下方へ引き下げ、アダプタ２０の接続部下部２２２を挿入した後に外ケース４１を元に戻すことにより、アダプタ２０に容易に接続することができる。
【００２５】
アダプタ２０の組立ては、まず、接続部２２の内部に、第１押圧部材２４及び第２押圧部材２６を順に積層する。一方、上蓋部材２１には、ロック解除部材３０の脚部３２の先端部３２１を上蓋部材２１の開口部２１３に下から挿入し、ロック解除部材３０の解除部材本体３１をロック爪２５に当接させる。この状態で、上蓋部材２１の雄ねじ部２１４を接続部２２の雌ねじ部２２３に螺合させて、アダプタ２０を組み立てる。
【００２６】
次に、蛇口１１に対する蛇口用管継手１０の取付け・取外し動作について説明する。なお、コネクタ４０には、予めホース１２が取り付けられているものとする。
まず、蛇口１１の先端１１１をアダプタ２０の取付孔２１１に挿入する。これにより、蛇口１１の先端面がロック爪２５の上部又は内側端面２５２に当接するので、ロック爪２５は下方へ揺動するとともに、ロック解除部材３０、第２押圧部材２６及び第１押圧部材２４も下方へ移動する。
【００２７】
次いで、アダプタ２０の流路開口２２５を手で塞いで、蛇口１１を開ける。蛇口１１から供給された水は、流路開口２２５が塞がれているので上方へ逆流し、第１押圧部材２４の第１水圧凹部２４２に圧入する。これにより、第１押圧部材２４は、上方へ押し上げられる。そして、第１押圧部材２４を上方へすり抜けた水は、第２押圧部材２６の第２水圧凹部２６２に圧入して、第２押圧部材２６を押し上げる。
【００２８】
これにより、ロック解除部材３０が押し上げられ、ロック解除部材３０の解除部材本体３１を介してロック爪２５が上方へ押し上げられて上方へ揺動（図３（Ａ）中矢印Ａ参照）する。これにより、ロック爪２５の内側端面２５２が蛇口１１に押し付けられ、蛇口１１を把持して固定する。同時に、ロック解除部材３０が上昇するので、ロック解除部材３０の脚部３２の先端部３２１が、上蓋部材２１の開口部２１３から突出する。
なお、蛇口用管継手１０にホース１２が接続されている場合には、流路開口２２５を塞ぐ代わりにホース１２を塞ぐことにより、蛇口用管継手１０を蛇口１１に固定することもできる。
【００２９】
一方、蛇口用管継手１０を蛇口１１から外す際には、上蓋部材２１から上方へ突出している脚部３２の先端部３２１を押し下げて、ロック解除部材３０によって第２押圧部材２６及び第１押圧部材２４を押し下げる。これにより、上方へ押し付けられていたロック爪２５が下方へ揺動可能となるので、蛇口用管継手１０を引き下げて蛇口１１から外すことができる。
【００３０】
以上、説明した本実施形態の蛇口用管継手１０では、蛇口１１を取付孔２１１に挿入して、アダプタ２０の流路開口２２５を塞いだ状態で蛇口１１から給水する。これにより、その水圧で第１押圧部材２４及び第２押圧部材２６を上方へ移動させてロック爪２５を上方へ揺動させ、ロック爪２５によって蛇口１１を挟んで固定するので、大きな力を必要とせず、また、道具等を必要とせずに、容易に蛇口用管継手１０を蛇口１１に取り付けることができる。
【００３１】
また、第１押圧部材２４及び第２押圧部材２６をロック爪２５から離反させるロック解除部材３０を蛇口用管継手１０に設けたので、ロック爪２５を上方へ揺動させて蛇口１１をロックしている第１押圧部材２４及び第２押圧部材２６をロック爪２５から離反させることができる。これにより、ロック爪２５が下方へ揺動可能となるので、容易にロックを解除することができ、蛇口用管継手１０を蛇口１１から容易に外すことができる。
【００３２】
また、本実施形態の蛇口用管継手１０では、第２押圧部材２６に当接する解除部材本体３１から上方に延びる複数個の脚部３２の先端部３２１が、ロック状態においては蛇口用管継手１０から突出している。このため、蛇口用管継手１０から突出した先端部３２１を押し込むことにより、第１押圧部材２４及び第２押圧部材２６をロック爪２５から離反させることができ、蛇口用管継手１０を容易に外すことができる。
【００３３】
さらに、蛇口１１から給水しているときにホース１２が詰まると、ホース１２内の水圧が上昇して蛇口用管継手１０を蛇口１１から外す力が生じるが、蛇口用管継手１０内部の水圧が上昇すると、第１押圧部材２４及び第２押圧部材２６のロック爪２５を揺動させる力が上昇する。これにより、ロック爪２５が蛇口１１を挟む力が上昇するので、蛇口用管継手１０は蛇口１１にしっかりと固定され、外れるのを防止できる。
【００３４】
以上、本考案の蛇口用管継手１０について、具体的な実施形態に基づいて説明してきたが、本考案は、前述した具体的な実施形態に限定されるものでなく、本考案の技術思想を逸脱しない範囲における様々な変形及び改良を行ってもよいことは言うまでもない。
例えば、前述した実施形態においては、蛇口用管継手１０によってホース１２を蛇口１１に接続する場合について説明したが、ホースとホースとを接続する接手に適用することもできる。
【００３５】
このように、技術思想を逸脱しない範囲における様々な変形や改良を行ったものも本考案の技術的範囲に含まれるものであり、そのことは、当業者にとって、実用新案登録請求の範囲の記載から明らかである。
【符号の説明】
【００３６】
１０  蛇口用管継手
１１  蛇口
１２  ホース
２０  アダプタ
２１１  取付孔
２４  第１押圧部材（押圧部材）
２５  ロック爪
２６  第２押圧部材（押圧部材）
３０  ロック解除部材
３１  解除部材本体
３２  脚部
４０  コネクタ
【図１】
0003209887.tif 000003
【図２】
0003209887.tif 000004
【図３】
0003209887.tif 000005
【図４】
0003209887.tif 000006